(57)【特許請求の範囲】
【請求項１】
戸棚本体と、戸棚本体の開口部の一端縁に枢支されて開口部を開閉する扉と、から成る戸棚に装備され、所定震度以上の地震が発生した時に作動して上記扉の開放を阻止する扉開放防止装置において、互いに隣接し且つ連通した幅広間隙部及び幅狭間隙部を有した間隙を有すると共に該間隙を弾性的に開閉する二股係止部を先端部に備えたラッチと、該二股係止部を挿通可能な空所を有すると共に該空所内から突出した二股係止部が拡開状態にある時に該二股係止部を係止する受け部材と、平常の扉の閉止時には受け部材の空所から突出した二股係止部の上記幅広間隙部内に嵌合して二股係止部の閉止方向への変形を許容する楔ピンと、上記所定震度以上の地震発生時に該楔ピンを作動させて上記幅広間隙部内から上記幅狭間隙部内に変位させて二股係止部の閉止方向への変形を阻止させる作動機構と、を有することを特徴とする扉開放防止装置。
【請求項２】
上記ラッチを扉の裏面に固定すると共に、受け部材を戸棚本体の底板上に固定し、更に、受け部材の後方適所に作動機構を配置したことを特徴とする請求項１記載の扉開放防止装置。
【請求項３】
上記ラッチを戸棚本体の底板上に固定すると共に、上記受け部材を扉の裏面に固定し、更にラッチ自体或はラッチの後方適所に作動機構を配置したことを特徴とする請求項１記載の扉開放防止装置。
【請求項４】
上記作動機構は、上記所定震度以上の地震発生時に一定方向に振幅するように支持ブラケットによって支持された上記楔ピンと、平常時における該楔ピンの姿勢を一定に保持する為の錘と、を有することを特徴とする請求項１、２又は３のいずれかに記載の扉開放防止装置。
【発明の詳細な説明】
【０００１】
【発明の属する技術分野】
本発明は地震発生時に戸棚や家具等の開き戸が開放して収納していた物が落下、飛散して破損したり、人体その他の物体を損傷する等の事故の発生を防止するための扉開放防止装置に関する。更に詳細には簡単な構成でありながら、地震発生時の応答性に優れ、しかも地震終了時には自動的に扉のロックを解除して扉の開放を許容することができる扉開放防止装置に関する。
【０００２】
【従来の技術】
比較的震度の大きい地震が発生した時には、戸棚や家具等の内部に収納した食器、壜類等の容器、各種機器等々が移動して開き戸に衝突してこれを押し広げ、収納物が外部に落下、飛散して破損したり、開き戸の近傍に位置する人体や物体を損傷する深刻な事故が発生することは昨今の地震において報告されている。
このような事故を防止する為の対策としては、地震の振動を利用して戸棚等の開き戸を自動的にロックして開放を阻止することが有効であり、従来から種々のロック装置が提案されている。しかし、いずれのロック装置も部品点数が多く構成が複雑なために高コストとなったり、誤作動、故障等が発生し易かった。
【０００３】
【発明が解決しようとする課題】
本発明は上記に鑑みてなされたものであり、その課題は、地震発生時に戸棚や家具等の開き戸が開放して収納していた物が落下、飛散して破損したり、人体その他の物体を損傷する等の事故の発生を防止するための扉開放防止装置であって、簡単な構成でありながら、地震発生時の応答性に優れ、しかも地震終了時には自動的に扉のロックを解除して扉の開放を許容することができるものを提供することにある。
【０００４】
【課題を解決するための手段】
上記目的を達成するため、請求項１の発明は、戸棚本体と、戸棚本体の開口部の一端縁に枢支されて開口部を開閉する扉と、から成る戸棚に装備され、所定震度以上の地震が発生した時に作動して上記扉の開放を阻止する扉開放防止装置において、互いに隣接し且つ連通した幅広間隙部及び幅狭間隙部を有した間隙を有すると共に該間隙を弾性的に開閉する二股係止部を先端部に備えたラッチと、該二股係止部を挿通可能な空所を有すると共に該空所内から突出した二股係止部が拡開状態にある時に該二股係止部を係止する受け部材と、平常の扉の閉止時には受け部材の空所から突出した二股係止部の上記幅広間隙部内に嵌合して二股係止部の閉止方向への変形を許容する楔ピンと、上記所定震度以上の地震発生時に該楔ピンを作動させて上記幅広間隙部内から上記幅狭間隙部内に変位させて二股係止部の閉止方向への変形を阻止させる作動機構と、を有することを特徴とする。
請求項２の発明は、上記ラッチを扉の裏面に固定すると共に、受け部材を戸棚本体の底板上に固定し、更に、受け部材の後方適所に作動機構を配置したことを特徴とする。
請求項３の発明は、上記ラッチを戸棚本体の底板上に固定すると共に、上記受け部材を扉の裏面に固定し、更にラッチの後方適所に作動機構を配置したことを特徴とする。
請求項４の発明は、上記ラッチは、二股に分岐した分岐片を先端に備えた二股分岐部と、両分岐片の間に形成された間隙と、両分岐片の対向面に形成された幅広部及び幅狭部とから成り、上記受け部材は、ラッチの二股係止部を受入れる支持空所を有し、上記作動機構は、上記所定震度以上の地震発生時に一定方向に振幅するように支持ブラケットによって支持された楔ピンと、平常時における楔ピンの姿勢を一定に保持する為の錘と、から成ることを特徴とする。
【０００５】
【発明の実施の形態】
以下、本発明を図面に示した形態例により詳細に説明する。図１は本発明の扉開放防止装置を備えた戸棚の一例の構成を示す一部断面斜視図であり、図２は扉開放防止装置の一例の側面図である。また、図３（ａ）は扉開放防止装置の分解斜視図、（ｂ）はラッチの斜視図であり、図４（ａ）及び（ｂ）、図５（ａ）及び（ｂ）は夫々作動機構の斜視図、図６（ａ）及び（ｂ）は作動機構の作動状態を示す平面図である。本発明の扉開放防止装置は、手前側に開放するようにヒンジ等によって枢支された扉を備えた戸棚一般に適用可能であり、戸棚本体の開口部の一端縁に枢支されて開口を開閉する扉が、地震発生時に戸棚本体内部に収容された収容物によって押し広げられる事態の発生を防止するための手段である。図１に示すようにこの戸棚１は、戸棚本体２と、戸棚本体２の開口部の一端縁に枢支されて開口部を開閉する扉３と、から成る。戸棚本体２の内部、この例では扉３の内側と底板４上には本形態例の扉開放防止装置５が装備されている。図２及び図３に示すように、この扉開放防止装置５は、先端部に弾性的に開閉する二股係止部１１を備えたラッチ１０と、該二股係止部１１を挿通可能な支持空所１６を有すると共に該支持空所１６から反対側へ突出した二股係止部１１が拡開状態にある時に該二股係止部を係止する受け部材１５と、平常の扉３の閉止時には受け部材１５の空所１６から反対側へ突出した二股係止部１１の間隙１２内の幅広部（幅広間隙部）１２ａ内に嵌合して二股係止部の閉止方向への変形を許容する楔ピン２０と、地震発生時に該楔ピン２０を作動させて上記幅広部１２ａ内から幅狭部（幅狭間隙部）１２ｂ内に変位させて二股係止部１１の閉止方向への変形を阻止する作動機構２５と、を有する。なお、幅広部１２ａと幅狭部１２ｂは、隣接し、且つ連通し合った位置関係にあって間隙１２を形成しているため、楔ピン２０は幅広部と幅狭部との間を移動することができる。
【０００６】
これを更に詳述すると、ラッチ１０は、弾性変形可能な金属、樹脂、ゴム等から構成されており、扉３の内側面にネジ等によって固定されるベース部材１３から二股係止部１１が一体的に突出した構成を備えている。二股係止部１１は、ベース部材１３から延びた部材を途中から二股に分岐させた分岐片１１ａ、１１ａを備え、分岐片１１ａ、１１ａは間隙１２を隔てて対向配置されるとともに、各分岐片１１ａ，１１ａの先端外側には係止用の突部１１ｂが夫々突設されている。更に、各分岐片は間隙１２を狭ばめる方向に弾性変形が可能である。
受け部材１５は、金属、樹脂その他の材料から成る板材を図示のように略Ｕ字状に構成し、底板４上にネジ等により固定したものであり、扉３の内側に固定されたラッチ１０の二股係止部１１が、扉の閉止時にこの受け部材１５の支持空所１６内に挿通されるように構成される。支持空所１６の幅寸法と、二股係止部１１の寸法との関係は、扉閉止時には二股係止部１１が支持空所１６内に挿入されてロック状態になり、扉開放時には二股係止部１１が支持空所から離脱可能となるように設定する。即ち、扉を閉じることにより支持空所１６内に二股係止部１１の先端に位置する突部１１ｂが入り込む際には、まず突部１１ｂの先端面１１ｂ’（扉側へ傾斜している）が受け部材１５の先端縁１５ａに当接し、扉３を更に閉止方向へ押し付けることにより両突部１１ｂが受け部材の先端縁１５ａに沿って内側へ押し込まれるので、両分岐片１１ａが互いに接近する方向へ弾性変形し、最後には支持空所１６内に両分岐片が入り込む。その後も更に扉を閉止方向に押し付けることにより、突部１１ｂが受け部材１５の後端縁１５ｂを離脱すると、両分岐片１１ａは拡開方向へ変形する。この為、突部１１ｂは受け部材の後端縁１５ｂに引っ掛かった状態となって係止され、扉は開放不能となる。
扉開放には、上記と逆の動作により開放が可能となる。
【０００７】
楔ピン２０を作動させるための作動機構２５は、底板４上に固定された支持ブラケット２６と、支持ブラケット２６に設けられ楔ピン２０の適所に設けた支点２０ａを上下方向に回動自在に支持する支持軸２７と、楔ピン２０の後端部に棒状の連結部材２８を介して一体化された錘２９とを有する。なお、図中では支持ブラケット２６、支持軸２７、連結部材２８を単なる線によって示しているが、これは図示説明の便宜上の方策に過ぎず、実際には支持ブラケット２６は板材等、支持軸２７及び連結部材２８は剛性を有した棒材、線材等により構成する。連結部材２８の重さ及び長さ、連結部材２８が止着される楔ピン２０の位置、連結部材２８の長さ、錘２９の重さ、支点２０ａの位置等は、楔ピン２０の作動応答性を決定する重要な要素である為、作動開始の契機となる地震の震度に応じて設定する。例えば、地震のない状態、或は震度４未満の地震が発生した場合には、図４、図５、図６（ａ）のように楔ピン２０が水平な姿勢を維持してその先端部がラッチの幅広部１２ａ内に嵌合するように構成する。楔ピン２０が幅広部１２ａ内に入り込んでいる場合には両分岐片１１ａは間隙１２を狭める方向に弾性変形することが可能となるように、楔ピンの径と幅広部１２ａの各寸法を設定する。連結部材２８は、これを線材として揺動するように構成するよりは、楔ピン２０と一体構造の棒状部材（或は板状部材）とする方が好ましい。或は、楔ピン２０の後端部に直接錘２９を一体化してもよい。作動機構２５は、地震による振動方向が楔ピン２０の長さ方向に沿っている場合は勿論、上下方向に振動する場合にも作動することができる。但し、楔ピン２０の長手方向と直交する方向へ振動する場合には作動しにくいが、この場合にはそもそも戸棚内の物品が扉側へ落下、移動して扉を押し広げることがないので、作動させる必要性も少ない。
【０００８】
図４(a) (b) は楔ピンが幅広部内に位置している為に、ラッチの二股係止部１１が受け部材１５に対して着脱可能となる状態を示している。
また、震度４を越える地震が発生した場合には錘２９が大きく揺れる為に楔ピンの平衡バランスがくずれ、図６(b) 、図７に示すように楔ピン２０が支点２０ａを中心として先端を上下方向に振動させて先端部を幅狭部１２ｂ内に嵌合させるので、分岐片１１ａは幅狭部１２ｂ内に入り込んだ楔ピンの先端部により邪魔されて間隙１２を狭める方向に弾性変形することができなくなる。地震の発生によって戸棚内部に収容した食器、電子機器等々の収容物が荷崩れを起こして扉３に向かって衝突したとしても、収容物に先立って作動するように設定された作動機構２５の作動によって、ラッチ１０は受け部材１５によって係止された状態となっているので、扉を開放する方向への押圧力に対して十分な開放阻止のための係止力を得ることができる。
【０００９】
本発明の作動機構２５は、連結部材２８により錘２９を吊り下げた振り子式の応答機構を採用しているので、従来の他の扉開放防止装置における作動機構に比して、応答性が極めてよく、収容物品が先行して扉を開放するという事態の発生を有効に防止できる。なお、必要に応じて錘２９の移動方向を一定方向に規制するガイドを底板等に設けてもよい。
また、地震が終了した後で、錘の振幅が一定値以下になると、楔ピンは幅広部内に位置することができるので扉の開放が可能な状態となる。なお、二股係止部を構成する分岐片１１ａの拡開力を十分に強く設定しておくことにより、地震終了による作動機構の作動停止状態においても、荷崩れした収容物品によって扉が開放される事態を防止できる。
或は、幅狭部１２ｂの内壁面と楔ピン２０との間の摩擦抵抗を大きく設定しておくことにより、楔ピン２０が一旦幅狭部１２ｂ内に入り込んだ時には、地震が終わった後においても楔ピンが幅狭部から容易に離脱できないように構成しておけば、地震終了後に戸棚内部の物品によって扉が押し広げられることを防止できる。
なお、地震のない平常時に扉を開放した状態にあるときに、扉開放防止装置に人手や収容物品等がぶつかる等の何らかの弾みによって作動機構２５が作動することがある。この場合、楔ピン２０が水平な姿勢からずれた方向に傾いた姿勢にある時に扉を閉めようとすると、楔ピン２０の先端はラッチ１０の分岐片１１ａ，１１ａの間の幅広部１２ａ内には嵌入できず、幅狭部１２ｂにぶつかって扉の閉止を阻害する事態が発生する。
【００１０】
図８(a) (b) 及び図９(a) (b) はこのような不具合を解消することを狙った変形例であり、図８(a) 及び(b) は扉開放状態を示す平面図及び斜視図であり、図９(a) 及び(b) は扉閉止状態を示す平面図及び斜視図である。
この形態例では、例えば受け部材１５の２つの後端縁１５ｂに夫々弾性的に開閉自在な位置決め部材３０を設けておき、図８のように扉を開放した状態にある時には両位置決め部材３０が図示の閉止状態にあって、各位置決め部材３０に設けた受け穴３１内に楔ピン２０の先端が嵌合して水平姿勢を維持し得るように構成している。このため、扉が開放している際には、楔ピン２０は位置決め部材３０によって常に水平な姿勢を維持することができ、扉を閉止したときにラッチの分岐片１１ａ，１１ａ間の幅広部１２ａ内に円滑に嵌入することができる。つまり、扉閉止時の障害となることがない。
なお、受け穴３１は上下方向長の長い円弧状或はテーパー状とすることにより、幅狭部１２ｂ側に偏位した状態にある楔ピン先端を水平な姿勢に矯正し得るように構成するのが好ましい。即ち、例えば図９の扉閉止状態から扉を開放した時に何らかの弾みにより楔ピン２０が水平姿勢から上下方向に振れた場合、受け穴３１の径が楔ピン２０の先端径と同等であると、楔ピン先端を受け穴内に嵌合させにくい事態が発生するが、受け穴３１の上下方向長を長めに設定するとともに、受け穴３１の内周縁に沿って楔ピン先端がスライドし得るように構成することにより、楔ピンの姿勢を水平姿勢に容易に戻すことが可能となる。
また、図９のように扉を閉止した状態にある時には、両位置決め部材３０はラッチ１０の先端によって押し広げられた状態となる為、扉の閉止を妨げることがない。
位置決め部材３０としては、例えば平面形状がＬ字状の樹脂、ゴム等から成る板材を用い、扉開放時には図８のように受け部材１５の後端側開口を閉止する一方で、扉閉止時には図９のようにラッチによって後方に押し広げられるように構成する。或は、図示しないヒンジを用いて各後端縁１５ｂに板材を開閉自在に支持すると共に、図示しないバネによって各板材を閉止方向に常時弾性付勢するように構成してもよい。
【００１１】
次に、図１０(a) (b) 及び(c) は本発明の他の形態例の側面図、平面図、及び分解斜視図であり、この形態例では、先端を扉側に向けた状態でラッチ１０を戸棚の底板４上に固定すると共に、受け部材１５を扉３の内壁に固定し、更にラッチのベース１３に形成した穴３５内に作動機構２５を配置して楔ピン２０をラッチの後方の穴３５から間隙１２内に差し入れるように構成したものである。
即ち、穴３５内には水平な支持軸２７を配置し、この支持軸２７によって楔ピン２０の適所を上下動可能に枢支する。更に、楔ピン２０の後端部から連結部材２８を介して錘２９を固定する。
受け部材１５はラッチ先端を受入れる空所１６を有すると共に、その側壁にはラッチ先端を係止する為の開口１６ａが形成されている。
ラッチの間隙１２内には上記形態例と同様の幅広部と、幅狭部が設けられていることは勿論である。
【００１２】
図１０においては作動機構をラッチに形成した穴３５内に設けたが、上記他の形態例と同様な構成の作動機構２５をラッチ後方の底板上に設けてもよい。
なお、上記形態例の説明中、或は図面中に示した各形態例は、一例に過ぎず、上記の形態に限定される訳ではない。
従って、例えば作動機構を構成する楔ピンの平常時の姿勢を水平姿勢以外の傾斜姿勢としておき、傾斜姿勢にある楔ピンを受入れる幅広部を分岐片の内面に形成する等の変形は本発明の範囲に含まれるものである。
また、上記形態例では扉開放防止装置を戸棚本体の底板上に配置したが、これを戸棚本体の天井部、或は側壁部等に配置してもよい。このように配置箇所を変更する場合には、夫々の配置箇所に応じて必要な改変を施す必要があることは勿論である。
【００１３】
【発明の効果】
以上のように本発明によれば、地震発生時に戸棚や家具等の開き戸が開放して収納していた物が落下、飛散して破損したり、人体その他の物体を損傷する等の事故の発生を防止するための扉開放防止装置であって、簡単な構成でありながら、地震発生時の応答性に優れ、しかも地震終了時には自動的に扉のロックを解除して扉の開放を許容することができるものを提供することができる。
即ち、本発明の扉開放防止装置は、手前側に開放するようにヒンジ等によって枢支された扉を備えた戸棚一般に適用可能であり、戸棚本体の開口部の一端縁に枢支されて開口を開閉する扉が、地震発生時に戸棚本体内部に収容された収容物によって押し広げられる事態の発生を防止するために、先端に二股係止部を備えたラッチと、ラッチが挿通されることによりラッチを係止する受け部材と、地震発生時にラッチの二股係止部が収縮して受け部材から離脱することを阻止する作動機構とを設けた。このような簡単且つコンパクトな構成の扉開放防止装置はこれまで提案されておらず、その実用性には高いものがある。
【図面の簡単な説明】
【図１】本発明の扉開放防止装置を備えた戸棚の一例の構成を示す一部断面斜視図。
【図２】本発明の扉開放防止装置の一例の側面図。
【図３】  (a) は扉開放防止装置の分解斜視図、(b) はラッチの斜視図。
【図４】  (a) 及び(b) は夫々作動機構の斜視図。
【図５】  (a) 及び(b) は夫々作動機構の斜視図。
【図６】  (a) 及び(b) は作動機構の作動状態を示す平面図。
【図７】本発明装置の動作を示す斜視図。
【図８】  (a) 及び(b) は扉開放状態を示す平面図及び斜視図。
【図９】  (a) 及び(b) は扉閉止状態を示す平面図及び斜視図。
【図１０】  (a)乃至(c)は本発明の他の形態例の側面図、平面図、及び分解斜視図。
【符号の説明】
１  戸棚、２  戸棚本体、３  扉、４  底板、５  扉開放防止装置、１０  ラッチ、１１  二股係止部、１１ａ  分岐片、１１ｂ  凸部、１２  間隙、１２ａ幅広部、１２ｂ  幅狭部、１３  ベース部材、１５  受け部材、１６  空所、２０  楔ピン、２５  作動機構、２６  支持ブラケット、２７  支持軸、２８  連結部材、２９  錘、３０  位置決め部材、３１  受け穴。
【図１】
0003971846.tif 000002
【図２】
0003971846.tif 000003
【図３】
0003971846.tif 000004
【図４】
0003971846.tif 000005
【図５】
0003971846.tif 000006
【図６】
0003971846.tif 000007
【図７】
0003971846.tif 000008
【図８】
0003971846.tif 000009
【図９】
0003971846.tif 000010
【図１０】
0003971846.tif 000011